(57)【要約】【課題】原子力発電所の作業区域内で作業に従事する放射線作業従事者の個人被ばく線量データを経過時間とともに可視化することができる個人被ばく線量データ可視化システムを提供する。【解決手段】個人被ばく線量データ可視化システム１０は、放射線作業従事者１２に装着させるヘッドマウントディスプレイ１８と、作業従事者１２に装着させて作業従事者１２の個人被ばく線量データを測定する放射線測定装置２３とを含むとともに、放射線測定装置２３によって測定された個人被ばく線量データに経過時間を加えた可視化情報を生成する可視化情報生成手段と、生成した可視化情報をヘッドマウントディスプレイ１８にリアルタイムに表示する可視化情報第１表示手段とを有する。【選択図】図１
2015166708.tif 000002
【特許請求の範囲】
【請求項１】
放射線管理区域内で作業に従事する放射線作業従事者の個人被ばく線量データを可視化する個人被ばく線量データ可視化システムにおいて、
前記個人被ばく線量データ可視化システムが、前記作業従事者に装着させるヘッドマウントディスプレイと、前記作業従事者に装着させて該作業従事者の個人被ばく線量データを測定する放射線測定装置とを含むとともに、前記放射線測定装置によって測定された個人被ばく線量データに時間データを加えた可視化情報を生成する可視化情報生成手段と、前記可視化情報を前記ヘッドマウントディスプレイにリアルタイムに表示する可視化情報第１表示手段とを有することを特徴とする個人被ばく線量データ可視化システム。
【請求項２】
前記個人被ばく線量データ可視化システムが、前記作業従事者を管理する管理者側に存在する管理端末を含むとともに、前記可視化情報を所定のネットワークを介して前記管理端末に送信する可視化情報送信手段を有し、前記管理端末が、前記可視化情報を表示する可視化情報第２表示手段と、前記可視化情報を記憶する可視化情報記憶手段とを有する請求項１に記載の個人被ばく線量データ可視化システム。
【請求項３】
前記個人被ばく線量データ可視化システムが、前記作業従事者に装着させて該作業従事者の視野に入った映像を撮影するウェアラブル目線カメラを含み、前記可視化情報生成手段では、前記目線カメラによって撮影された映像を加えた前記可視化情報を生成し、前記可視化情報第１表示手段では、前記映像を含む前記可視化情報を前記ヘッドマウントディスプレイにリアルタイムに表示し、前記可視化情報第２表示手段では、前記ネットワークを介して前記映像およびその撮影時間を受信した前記管理端末が該映像を加えた可視化情報を表示し、前記可視化情報記憶手段では、前記映像およびその撮影時間を含む可視化情報を記憶する請求項２に記載の個人被ばく線量データ可視化システム。
【請求項４】
前記時間データが、前記作業従事者の前記放射線管理区域内への進入時から該放射線管理区域内における現在までの経過時間である請求項１ないし請求項３いずれかに記載の個人被ばく線量データ可視化システム。
【請求項５】
前記個人被ばく線量データ可視化システムが、前記作業従事者の前記放射線管理区域内への進入を検出しつつ、該放射線管理区域内への進入検出をトリガーとして前記経過時間のカウントを開始する経過時間カウント手段を有する請求項４に記載の個人被ばく線量データ可視化システム。
【発明の詳細な説明】
【技術分野】
【０００１】
本発明は、放射線管理区域内で作業に従事する放射線作業従事者の個人被ばく線量データを可視化する個人被ばく線量データ可視化システムに関する。
【背景技術】
【０００２】
放射線量を測定可能な測定器に接続された第１ウェアラブル端末と、ヘッドマウントディスプレイ装置に接続された第２ウェアラブル端末とを備え、第１ウェアラブル端末が、第２ウェアラブル端末との距離を算出する距離算出手段と、測定器が測定した放射線量と距離算出手段によって算出した距離とに基づいて、第２ウェアラブル端末の位置における放射線量の予測値を算出する予測値算出手段とを有し、第２ウェアラブル端末が、予測値算出手段によって算出した放射線量の予測値をヘッドマウントディスプレイ装置に表示させるように制御する表示制御手段を有する作業支援システムが開示されている（特許文献１参照）。作業支援システムでは、ウェアラブル端末がヘッドマウントディスプレイ装置に測定器から受信した放射線量計測データを表示させるように制御する。
【先行技術文献】
【特許文献】
【０００３】
【特許文献１】特許第５３４８１９２号
【発明の概要】
【発明が解決しようとする課題】
【０００４】
前記特許文献１に開示の作業支援システムは、ウェアラブル端末のヘッドマウントディスプレイ装置に放射線量計測データを表示させることによって、放射線管理区域内の放射線作業従事者が放射線量計測データを視認することができる。しかし、この作業支援システムは、ヘッドマウントディスプレイ装置に時間データが表示されることはなく、放射線管理区域内において作業に従事する作業従事者が個人被ばく線量を時間データとともにリアルタイムに視認することができず、時間との関係において個人被ばく線量を把握することができない。
【０００５】
本発明の目的は、放射線管理区域内で作業に従事する放射線作業従事者の個人被ばく線量データを時間データとともに可視化することができ、作業従事者が両手を自由に使える状態で個人被ばく線量データおよび時間データをリアルタイムに視認することができる個人被ばく線量データ可視化システムを提供することにある。
【課題を解決するための手段】
【０００６】
前記課題を解決するための本発明の前提は、放射線管理区域内で作業に従事する放射線作業従事者の個人被ばく線量データを可視化する個人被ばく線量データ可視化システムである。
【０００７】
前記前提における本発明の特徴は、個人被ばく線量データ可視化システムが、作業従事者に装着させるヘッドマウントディスプレイと、作業従事者に装着させて作業従事者の個人被ばく線量データを測定する放射線測定装置とを含むとともに、放射線測定装置によって測定された個人被ばく線量データに時間データを加えた可視化情報を生成する可視化情報生成手段と、可視化情報をヘッドマウントディスプレイにリアルタイムに表示する可視化情報第１表示手段とを有することにある。
【０００８】
本発明の一例としては、個人被ばく線量データ可視化システムが、作業従事者を管理する管理者側に存在する管理端末を含むとともに、可視化情報を所定のネットワークを介して管理端末に送信する可視化情報送信手段を有し、管理端末が、可視化情報を表示する可視化情報第２表示手段と、可視化情報を記憶する可視化情報記憶手段とを有する。
【０００９】
本発明の他の一例としては、個人被ばく線量データ可視化システムが作業従事者に装着させて作業従事者の視野に入った映像を撮影するウェアラブル目線カメラを含み、可視化情報生成手段では、目線カメラによって撮影された映像を加えた可視化情報を生成し、可視化情報第１表示手段では、映像を含む可視化情報をヘッドマウントディスプレイにリアルタイムに表示し、可視化情報第２表示手段では、ネットワークを介して映像およびその撮影時間を受信した管理端末が映像を加えた可視化情報を表示し、可視化情報記憶手段では、映像およびその撮影時間を含む可視化情報を記憶する。
【００１０】
本発明の他の一例としては、時間データが作業従事者の放射線管理区域内への進入時から放射線管理区域内における現在までの経過時間である。
【００１１】
本発明の他の一例としては、個人被ばく線量データ可視化システムが作業従事者の放射線管理区域内への進入を検出しつつ、放射線管理区域内への進入検出をトリガーとして経過時間のカウントを開始する経過時間カウント手段を有する。
【発明の効果】
【００１２】
本発明にかかる個人被ばく線量データ可視化システムによれば、放射線測定装置によって測定された個人被ばく線量データに時間データを加えた可視化情報がヘッドマウントディスプレイにリアルタイムに表示されるから、個人被ばく線量データや時間データをヘッドマウントディスプレイにおいて可視化することができ、放射線作業従事者が両手を自由に使える状態で現在の自分の個人被ばく線量データおよび時間データをヘッドマウントディスプレイを介して視認することができる。システムは、可視化情報に時間データが含まれるから、放射線管理区域内における作業時間の経過による個人被ばく線量データの時間的な変化を知ることができ、個人被ばく線量データと時間データとを視認することで、作業従事者が放射線管理区域における作業の続行や作業の中止を的確に判断することができる。システムは、個人被ばく線量データを確認するために放射線測定装置を手で持つ必要がなく、両手で作業を続けることができ、放射線管理区域内における作業効率を向上させることができる。
【００１３】
放射線作業従事者を管理する管理者側に存在する管理端末を含み、可視化情報を所定のネットワークを介して管理端末に送信し、管理端末が可視化情報を表示するとともに、可視化情報を記憶する個人被ばく線量データ可視化システムは、管理者が管理端末に表示された個人被ばく線量データおよび時間データを確認することで、作業従事者の現在の個人被ばく線量データと時間データとを把握することができ、管理者が作業従事者の作業の続行や作業の中止を的確に判断することができる。システムは、個人被ばく線量データおよび時間データが管理端末に記憶されるから、個人被ばく線量データや時間データの喪失を防ぐことができるとともに、個人被ばく線量データおよび時間データを検討することにより、作業従事者の被ばく状況や体調を管理することができ、放射線管理区域内における次の作業箇所の選定や作業時期等を含めた作業計画を立案することができる。
【００１４】
放射線作業従事者に装着させて作業従事者の視野に入った映像を撮影するウェアラブル目線カメラを含み、目線カメラによって撮影された映像を加えた可視化情報を生成し、映像を含む可視化情報をヘッドマウントディスプレイにリアルタイムに表示し、ネットワークを介して映像およびその撮影時間を受信した管理端末が映像を加えた可視化情報を表示するとともに、映像およびその撮影時間を含む可視化情報を記憶する個人被ばく線量データ可視化システムは、作業従事者の現在位置や作業箇所における映像を個人被ばく線量データや時間データとともにヘッドマウントディスプレイに可視化することができ、作業従事者が両手を自由に使える状態で現在位置や作業箇所における映像や個人被ばく線量データ、時間データをヘッドマウントディスプレイを介して視認することができる。システムは、可視化情報に現在位置や作業箇所の映像が含まれるから、作業従事者が対峙する位置における個人被ばく線量データの変化を知ることができ、作業従事者がその位置における作業の続行や作業の中止を的確に判断することができる。システムは、管理者が管理端末に表示された映像、個人被ばく線量データ、時間データを確認することで、作業従事者の現在位置や作業箇所における映像、個人被ばく線量データ、時間データを把握することができ、管理者が作業従事者の作業の続行や作業の中止を的確に判断することができる。システムは、映像およびその撮影時間が管理端末に記憶されるから、映像およびその撮影時間の喪失を防ぐことができるとともに、映像やその撮影時間とともに個人被ばく線量データおよび時間データを検討することにより、作業従事者の被ばく状況や体調を管理することができ、放射線管理区域内における次の作業箇所の選定や作業時期等を含めた作業計画を立案することができる。
【００１５】
時間データが作業従事者の放射線管理区域内への進入時から放射線管理区域内における現在までの経過時間である個人被ばく線量データ可視化システムは、作業従事者が放射線管理区域内に進入してからの経過時間を個人被ばく線量データに加えた可視化情報がヘッドマウントディスプレイにリアルタイムに表示されるから、個人被ばく線量データや経過時間をヘッドマウントディスプレイにおいて可視化することができ、放射線作業従事者が両手を自由に使える状態で現在の自分の個人被ばく線量データおよび経過時間をヘッドマウントディスプレイを介して視認することができる。システムは、放射線管理区域内への進入時からの経過時間が可視化情報に含まれるから、放射線管理区域内における作業時間の経過による個人被ばく線量データの時間的な変化を知ることができ、個人被ばく線量データと経過時間とを視認することで、作業従事者が放射線管理区域内における作業の続行や作業の中止を的確に判断することができる。システムは、管理者が管理端末に表示された個人被ばく線量データおよび経過時間を確認することで、管理者が放射線管理区域内における作業時間の経過による作業従事者の個人被ばく線量データの時間的な変化を把握することができ、管理者が作業従事者の作業の続行や作業の中止を的確に判断することができる。システムは、個人被ばく線量データおよび経過時間が管理端末に記憶されるから、個人被ばく線量データや経過時間の喪失を防ぐことができるとともに、経過時間による作業従事者の個人被ばく線量データの時間的な変化を検討することにより、作業従事者の被ばく状況や体調を管理することができ、放射線管理区域内における次の作業箇所の選定や作業時期等を含めた作業計画を立案することができる。
【００１６】
放射線作業従事者の放射線管理区域内への進入を検出しつつ、放射線管理区域内への進入検出をトリガーとして経過時間のカウントを開始する個人被ばく線量データ可視化システムは、作業従事者が放射線管理区域内に進入してから現在までの経過時間をカウントすることで、作業従事者の作業開始から現在までの個人被ばく線量データの時間的な変化を知ることができ、個人被ばく線量データと経過時間とを視認することで、作業従事者が放射線管理区域内における作業の続行や作業の中止を的確に判断することができる。また、管理者が管理端末に表示された個人被ばく線量データおよび作業従事者が放射線管理区域内に進入してから現在までの経過時間を確認することで、管理者が放射線管理区域内における作業時間の経過による作業従事者の個人被ばく線量データの時間的な変化を把握することができ、管理者が作業従事者の作業の続行や作業の中止を的確に判断することができる。
【図面の簡単な説明】
【００１７】
【図１】一例として示す個人被ばく線量データ可視化システムの構成図。
【図２】装着機器の一例を示す図。
【図３】装着機器を装着した作業従事者の正面図。
【図４】装着機器を装着した作業従事者の側面図。
【図５】ヘッドマウントディスプレイに表示された計画設定値、作業箇所映像を含む可視化情報の一例を示す図。
【図６】管理端末のディスプレイに表示された計画設定値、作業箇所映像を含む可視化情報の一例を示す図。
【図７】ヘッドマウントディスプレイに表示された作業指示および作業手順を含む可視化情報の他の一例を示す図。
【図８】ヘッドマウントディスプレイに表示された計画設定値、警告メッセージを含む可視化情報の他の一例を示す図。
【図９】管理端末のディスプレイに表示された計画設定値、警告メッセージを含む可視化情報の他の一例を示す図。
【図１０】ヘッドマウントディスプレイに表示された計画設定値、映像を含む可視化情報の他の一例を示す図。
【図１１】管理端末のディスプレイに表示された計画設定値、映像を含む可視化情報の他の一例を示す図。
【図１２】ヘッドマウントディスプレイに表示された計画設定値、位置表示マップを含む可視化情報の他の一例を示す図。
【図１３】ヘッドマウントディスプレイに表示された計画設定値、移動経路マップを含む可視化情報の他の一例を示す図。
【図１４】管理端末のディスプレイに表示された計画設定値、位置表示マップを含む可視化情報の他の一例を示す図。
【図１５】管理端末のディスプレイに表示された計画設定値、移動経路マップを含む可視化情報の他の一例を示す図。
【図１６】他の一例として示す装着機器を装着した作業従事者の斜視図。
【図１７】装着機器の他の一例を示す図。
【図１８】ヘッドマウントディスプレイに表示された映像、計画設定値、生体データを含む可視化情報の他の一例を示す図。
【図１９】管理端末のディスプレイに表示された映像、計画設定値、生体データを含む可視化情報の他の一例を示す図。
【図２０】ヘッドマウントディスプレイに表示された映像、計画設定値、生体データ、警告メッセージを含む可視化情報の他の一例を示す図。
【図２１】管理端末のディスプレイに表示された映像、計画設定値、生体データ、警告メッセージを含む可視化情報の他の一例を示す図。
【発明を実施するための形態】
【００１８】
一例として示す個人被ばく線量データ可視化システム１０の構成図である図１等の添付の図面を参照し、本発明にかかる個人被ばく線量データ可視化システムの詳細を説明すると、以下のとおりである。なお、図２は、個人被ばく線量データ可視化システム１０を形成する装着機器１１の一例を示す図であり、図３は、装着機器１１を装着した作業従事者１２の正面図である。図４は、装着機器１１を装着した作業従事者１２の側面図である。図３，４では、フード付き放射線防護服１５の図示を省略し、作業従事者１２が全面マスク１６のみを装着した状態を示す。
【００１９】
以下、原子力発電所を例としてシステム１０を説明するが、このシステム１０は、原子力発電所のみならず、すべての放射線管理区域において利用することができる。放射線管理区域には、原子力関連施設や医療施設等の放射線を放出する恐れのある施設が含まれる。原子力関連施設には、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００２０】
個人被ばく線量データ可視化システム１０は、原子力発電所の作業区域内（放射線管理区域内）で作業に従事する放射線作業従事者１２の個人被ばく線量データを可視化する。システム１０は、作業従事者１２が装着する（身に付ける）装着機器１１と、原子力発電所の敷地内や施設内に設置された無線ＬＡＮルーター１３（アクセスポイント）と、作業従事者１２を管理する放射線管理者（図示せず）側に設置された管理端末１４とから形成されている。装着機器１１（後記するデータ処理端末２２）や管理端末１４は無線ＬＡＮ（ネットワーク）によってデータの送受信が行われるが、インターネットを介してデータの送受信が行われる場合もある。
【００２１】
図１では１人の作業従事者１２を図示しているが、実際には複数の作業従事者１２が作業区域内で作業を行う。また、１台の無線ＬＡＮルーター１３を図示しているが、実際には複数台の無線ＬＡＮルーター１３が原子力発電所の敷地内や施設内に設置される。さらに、１台の管理端末１４を図示しているが、複数台の管理端末１４が存在する場合がある。
【００２２】
作業従事者１２は、フード付き放射線防護服１５、フィルタが取り付けられた全面マスク１６（放射線防護マスク）、被ばく防止用手袋１７、シューズカバー（図示せず）を着用するとともに、装着機器１１を装着して原子力発電所の作業区域内で作業を行う。装着機器１１は、図２〜図４に示すように、作業従事者１２が着脱可能に装着するヘッドマウントディスプレイ１８（光学透過ヘッドマウントディスプレイ）およびウェアラブル目線カメラ１９と、作業従事者１２が着脱可能に装着するウェアラブルマイクロフォン２０およびコントローラ２１と、作業従事者１２が着脱可能に装着するデータ処理端末２２および放射線測定装置２３（個人被ばく線量計）とから形成されている。
【００２３】
ヘッドマウントディスプレイ１８は、取り付け治具２４を利用して全面マスク１６おける作業従事者１２の視野に入る位置に着脱可能に取り付けられている。ディスプレイ１８は、信号線２５を介してコントローラ２１に接続されている。ディスプレイ１８は、作業従事者１２の視野に情報を映し出す。ディスプレイ１８には、虚像投影型や網膜投影型を使用することができる。
【００２４】
ウェアラブル目線カメラ１９は、取り付け治具２４を利用して全面マスク１６における作業従事者１２の目線の位置に着脱可能に取り付けられている。目線カメラ１９は、信号線２５を介してコントローラ２１に接続されている。目線カメラ１９は、作業従事者１２の視野に入った映像を撮影する。目線カメラ１９は、キャプチャー機能を有し、動画のみならず、静止画を撮影することもできる。
【００２５】
ウェアラブルマイクロフォン２０は、ウェアラブル目線カメラ１９と一体になり、取り付け治具２４を利用して全面マスク１６に着脱可能に取り付けられている。マイクロフォン２０は、音を発するスピーカー機能を有する。マイクロフォン２０は、信号線２５を介してコントローラ２１に接続されている。マイクロフォン２０は、作業従事者１２の音声や作業従事者１２の周囲の音を集音するとともに、スピーカー機能によって管理者の音声を出力する。なお、マイクロフォン２０が目線カメラ１９と別体になり、取り付け治具２４を利用して全面マスク１６に取り付けられていてもよい。
【００２６】
コントローラ２１は、放射線防護服１５のポケット３５ａに挿脱可能に収容される。コントローラ２１は、信号線２５を介してデータ処理端末２２に接続されている。コントローラ２１には、ヘッドマウントディスプレイ１８のＯＮ／ＯＦＦを行うディスプレイＯＮ／ＯＦＦボタン２６、ウェアラブル目線カメラ１９のＯＮ／ＯＦＦを行うカメラＯＮ／ＯＦＦボタン２７、目線カメラ１９のキャプチャー機能を起動させるキャプチャーボタン２８、ウェアラブルマイクロフォン２０のＯＮ／ＯＦＦを行うマイクロフォンＯＮ／ＯＦＦボタン２９、マイクロフォン２０の出力を調節するボリューム３０、マップ表示をＯＮ／ＯＦＦするマップＯＮ／ＯＦＦボタン３１、位置表示マップと移動経路マップとを切り替えるマップ切替ボタン３２、管理端末１４から送信された画像（静止画、動画、見取図等）をディスプレイ１８に表示させる画像表示ボタン３３、個人被ばく線量データの単位を切り替える単位切替ボタン３４が設置されている。
【００２７】
データ処理端末２２は、中央処理部（ＣＰＵまたはＭＰＵ）とメモリ（メインメモリおよびキャッシュメモリ）とを備えたコンピュータであり、大容量ハードディスクを内蔵している。データ処理端末２２は、無線ＬＡＮルーター１３を経由して無線ＬＡＮによって管理端末１４に各種データを送信するとともに、管理端末１４から各種データを受信する。データ処理端末２２は、ＧＰＳ機能およびタイマ機能を有する。
【００２８】
なお、データ処理端末２２がインターネットを介して管理端末１４と各種データの送受信を行う場合、データ処理端末２２がＤＮＳサーバ機能やデータベースサーバ機能、Ｗｅｂサーバ機能、メールサーバ機能、ドキュメントサーバ機能等の各種サーバ機能を備えている。データ処理端末２２は、放射線防護服１５のポケット３５ｂに挿脱可能に収容される。
【００２９】
データ処理端末２２のハードディスクには、作業従事者１２の個人被ばく線量データ（線量当量率）の限界を示す計画設定値、原子力発電所（放射線管理区域）の各箇所を表したマップデータ（見取図等）、作業従事者１２の個人識別データ（氏名、年齢、性別、個人識別子、パスワードやＩＤ番号、所属部署、メールアドレス等）が格納されている。計画設定値は、入力装置によって任意に設定することができる。なお、図示はしていないが、作業従事者１２が身に付けるショルダーバックにコントローラ２１やデータ処理端末２２が収容され、ショルダーバックとともにそれらが持ち運ばれる場合がある。
【００３０】
データ処理端末２２は、そのＧＰＳ機能を利用し、作業従事者１２の作業区域外（放射線管理区域外）および作業区域内（放射線管理区域内）における位置データを取得する。データ処理端末２２は、そのタイマ機能を利用し、作業従事者１２の作業区域内（放射線管理区域内）への進入時（進入した直後）から作業区域内における現在までの経過時間（月日、時分秒）（時間データ）を計測する。
【００３１】
放射線測定装置２３は、作業従事者１２の個人被ばく線量データを所定の時間間隔で測定する。放射線測定装置２３における測定時間（たとえば、３秒間隔や１０秒間隔）は、任意に設定することができる。個人被ばく線量データは、個人被ばく線量（ｍＳｖまたはμＳｖ）および線量当量率（ｍＳｖ／ｈまたはμＳｖ／ｈ）である。放射線測定装置２３は、タイマ機能を有し、個人被ばく線量データの測定時間（月日、時分秒）（時間データ）を計測する。
【００３２】
なお、放射線測定装置２３がＧＰＳ機能を有する場合もある。この場合、作業従事者１２の位置データを放射線測定装置２３が取得する。また、放射線測定装置２３は、作業従事者１２の作業区域内（放射線管理区域内）への進入時（進入した直後）から作業区域内における現在までの経過時間（月日、時分秒）（時間データ）を計測する場合がある。この場合、放射線測定装置２３は、経過時間をデータ処理端末２２に転送（送信）する。
【００３３】
放射線測定装置２３は、測定した個人被ばく線量データ（個人被ばく線量、線量当量率）およびそれらの測定時間を無線電波としてデータ処理端末２２に転送（送信）する。また、放射線測定装置２３が経過時間を計測する場合、計測した経過時間を無線電波としてデータ処理端末２２に転送（送信）する。放射線測定装置２３は、作業従事者１２が放射線防護服１５の内側に着用したベスト（図示せず）に設置される。なお、計画設定値がデータ処理端末２２ではなく、放射線測定装置２３に格納されていてもよい。この場合は、放射線測定装置２３において計画設定値を任意に設定する。
【００３４】
管理端末１４は、原子力発電所の管理棟や免震重要棟に設置されている。管理端末１４は、中央処理部（ＣＰＵまたはＭＰＵ）とメモリ（メインメモリおよびキャッシュメモリ）とを備えたコンピュータであり、大容量ハードディスクを内蔵している。管理端末１４には、キーボード３６やマウス３７等の入力装置、ディスプレイ３８やマイクロフォン（図示せず）、スピーカー（図示せず）、プリンタ（図示せず）等の出力装置がインターフェイスを介して接続されている。管理端末１４は、無線ＬＡＮルーター１３を経由して無線ＬＡＮによってデータ処理端末２２に各種データを送信するとともに、データ処理端末２２から各種データを受信する。
【００３５】
管理端末１４は、ノート型でもよく、タブレットでもよい。なお、管理端末１４がインターネットを介してデータ処理端末２２と各種データの送受信を行う場合、管理端末１４が既述の各種サーバ機能を備えている。管理端末１４のハードディスクには、計画設定値、原子力発電所のマップデータ（見取図等）、作業従事者１２の個人識別データ（氏名、年齢、性別、個人識別子、パスワードやＩＤ番号、所属部署、メールアドレス等）が格納されている。
【００３６】
図５は、ヘッドマウントディスプレイ１８に表示された計画設定値を含む可視化情報の一例を示す図であり、図６は、管理端末１４のディスプレイ３８に表示された計画設定値を含む可視化情報の一例を示す図である。以下の説明では、時間データとして経過時間が採用され、その経過時間がデータ処理端末２２によって計測されるものとする。なお、時間データとしては、経過時間の他に、個人被ばく線量の測定時間や現在の時間を採用することもできる。管理端末１４から無線ＬＡＮを利用して作業箇所の見取図（画像）がデータ処理端末２２に送信されているものとする。
【００３７】
作業従事者１２が原子力発電所の作業区域内で作業を行う場合、フード付き放射線防護服１５や全面マスク１６、被ばく防止用手袋１７、シューズカバーを着用し、装着機器１１を装着し、管理棟や免震重要棟（作業区域外）から作業区域内に移動する。なお、放射線測定装置２３における測定時間間隔が３秒に設定されているものとし、ＧＰＳ機能を利用して作業従事者１２の位置データが取得されているものとする。
【００３８】
作業従事者１２が作業区域外から作業区域内に進入すると、データ処理端末２２は、作業従事者１２の作業区域内への進入時から作業区域内における現在までの経過時間を計測する。経過時間計測の一例としては、あらかじめ管理者が決定した作業区域内外の境界線に信号（電波）を発生するゲートを設置し、作業従事者１２がそのゲートを通過する瞬間に、ゲートからの信号がデータ処理端末２２に送信され（ゲートのセンサ部にタッチしてゲートからの信号が送信される場合、または、ゲートを通過するだけでゲートからの信号が送信される場合がある）、信号を受信したデータ処理端末２２が作業従事者１２の作業区域内への進入を検出し、作業区域内への進入検出をトリガーとしてデータ処理端末２２が経過時間のカウントを開始する（経過時間カウント手段）。
【００３９】
経過時間計測の他の一例としては、データ処理端末２２のハードディスクに格納されたマップデータにあらかじめ管理者が決定した作業区域内外の境界線が引かれ、データ処理端末２２がＧＰＳ機能によって取得した位置データを参照しつつ、作業従事者１２がその境界線を超えた場合、作業従事者１２のその位置データを取得したデータ処理端末２２が作業従事者１２の作業区域内への進入を検出し、作業区域内への進入検出をトリガーとしてデータ処理端末２２が経過時間のカウントを開始する（経過時間カウント手段）。なお、経過時間を放射線測定装置２３が計測する場合もデータ処理端末２２のそれらと同様である。
【００４０】
作業従事者１２の作業区域内での移動中や作業区域内での作業中、作業従事者１２が身に付けた放射線測定装置２３は、作業従事者１２の個人被ばく線量データ（個人被ばく線量、線量当量率）を３秒間隔で測定し、測定した個人被ばく線量データをデータ処理端末２２に転送する。さらに、個人被ばく線量データの測定時間（月日、時分秒）をデータ処理端末２２に転送する。
【００４１】
コントローラ２１のヘッドマウントディスプレイ１８のＯＮ／ＯＦＦボタン２６がＯＮになっているものとし、ウェアラブルマイクロフォン２０のＯＮ／ＯＦＦボタン２９がＯＮになっているものとする。なお、計画設定値が放射線測定装置２３に格納されている場合、その計画設定値が放射線測定装置２３からデータ処理端末２２に転送される。また、作業従事者１２およびその周辺の音がマイクロフォン２０によって集音され、音がマイクロフォン２０からデータ処理端末２２に転送される。
【００４２】
データ処理端末２２（システム１０）は、放射線測定装置２３によって測定され、放射線測定装置２３から転送された個人被ばく線量データに経過時間（時間データ）と計画設定値とを加えた可視化情報を生成し（可視化情報生成手段）、生成した可視化情報をヘッドマウントディスプレイ１８にリアルタイムに表示する（可視化情報第１表示手段）。作業従事者１２がコントローラ２１の画像表示ボタン３３をＯＮにすると、データ処理端末２２（システム１０）は、管理端末１４から送信された作業箇所の見取図（画像）をヘッドマウントディスプレイ１８に表示する（作業箇所画像表示手段）。
【００４３】
ヘッドマウントディスプレイ１８には、図５に示すように、作業区域内への進入時から作業区域内における現在までの経過時間を表示した時間データ表示エリア５ａ（月日、時分秒）、放射線測定装置２３によって測定された線量当量率を表示した線量当量率表示エリア５ｂ（ｍＳｖ／ｈ）、放射線測定装置２３によって測定された個人被ばく線量を表示した個人被ばく線量表示エリア５ｃ（ｍＳｖ）、計画設定値を表示した計画設定値表示エリア５ｄ（ｍＳｖ／ｈ）、作業箇所の見取図（画像）を表示した作業箇所画像表示エリア５ｅが表示される。
【００４４】
データ処理端末２２（システム１０）は、放射線測定装置２３によって個人被ばく線量データが測定される度毎（３秒毎）（測定装置２３からデータが転送される度毎）に可視化情報をあらたに生成する（可視化情報生成手段）。それら表示エリア５ａ〜５ｃには、あらたな測定時間やあらたな線量当量率、あらたな個人被ばく線量が表示される。データ処理端末２２（システム１０）は、あらたに生成した可視化情報（最新の個人被ばく線量データ）をヘッドマウントディスプレイ１８にリアルタイムに表示する（可視化情報第１表示手段）。
【００４５】
作業従事者１２は、単位切替ボタン３４を押すことで、線量当量率や個人被ばく線量の単位を切り替えることができる。単位を切り替えると、単位がμＳｖ／ｈの線量当量率が線量当量率表示エリア５ｂに表示され、単位がμＳｖの個人被ばく線量が個人被ばく線量表示エリア５ｃに表示される。作業従事者１２が画像表示ボタン３３を押して画像表示をＯＦＦにすると、ヘッドマウントディスプレイ１８に表示された作業箇所画像表示エリア５ｅが消滅する。
【００４６】
データ処理端末２２（システム１０）は、可視化情報が生成される度毎に最新の可視化情報を逐次ハードディスクに記憶・蓄積するとともに（可視化情報第１記憶手段）、マイクロフォン２０が集音した音およびその集音時間を記憶・蓄積する（音記憶手段）。それら可視化情報や音は、それらを特定する可視化情報特定データおよび個人識別データに関連付けられた状態でハードディスクに格納される。可視化情報特定データには、データ処理端末２２のＩＰアドレスやＭＡＣアドレス、ＵＲＬ、Ｃｏｏｋｉｅ情報、固体識別番号等を利用することができる他、独自に生成したユニークな識別子を利用することができる。
【００４７】
データ処理端末２２（システム１０）は、個人被ばく線量データに経過時間と計画設定値とを加えた可視化情報（可視化情報特定データおよび個人識別データを含む）を無線ＬＡＮ（無線ＬＡＮルータ１３を経由）を利用して管理端末１４に送信するとともに（可視化情報送信手段）、音およびその集音時間を無線ＬＡＮを利用して管理端末１４に送信する（音送信手段）。可視化情報送信手段では、可視化情報が生成される度毎に最新の可視化情報を管理端末１４に送信する。
【００４８】
個人被ばく線量データ可視化システム１０は、放射線測定装置２３によって測定された個人被ばく線量データに時間データ（経過時間）を加えた最新の可視化情報がヘッドマウントディスプレイ１８にリアルタイムに表示されるから、個人被ばく線量データや時間データをヘッドマウントディスプレイ１８において可視化することができ、作業従事者１２が両手を自由に使える状態で現在の自分の個人被ばく線量データや時間データをヘッドマウントディスプレイ１８を介して視認することができる。
【００４９】
個人被ばく線量データ可視化システム１０は、可視化情報に時間データ（経過時間）が含まれるから、作業区域内における作業時間の経過による個人被ばく線量データの時間的な変化を知ることができ、最新の個人被ばく線量データと時間データとを視認することで、作業従事者１２が作業区域内における作業の続行や作業の中止を的確に判断することができる。システム１０は、個人被ばく線量データを確認するために放射線測定装置２３を手で持つ必要がなく、両手で作業を続けることができ、原子力発電所の作業区域内における作業効率を向上させることができる。
【００５０】
個人被ばく線量データ可視化システム１０は、個人被ばく線量の限界を示す計画設定値をヘッドマウントディスプレイ１８において視認可能にすることで、作業従事者１２が現在の個人被ばく線量データと計画設定値とを比較することができ、今後の作業継続時間を判断することができる。システム１０は、管理端末１４から送信された作業箇所の見取図（画像）がヘッドマウントディスプレイ１８に表示されるから、ディスプレイ１８を介して作業従事者１２が作業箇所を把握することができ、作業従事者１２が正確な作業箇所において作業を的確かつ迅速に遂行することがきるとともに、作業箇所以外における作業の実施を防ぐことができる。
【００５１】
管理端末１４は、個人被ばく線量データに経過時間と計画設定値とを加えた（合成した）可視化情報を生成し、その可視化情報をディスプレイ３８に表示する（可視化情報第２表示手段）。さらに、管理端末１４に接続されたスピーカーからマイクロフォン２０によって集音された音を出力する（音出力手段）。ディスプレイ３８には、図６に示すように、作業従事者１２の作業区域内への進入時から作業区域内における現在までの経過時間を表示した時間データ表示エリア６ａ（月日、時分秒）、線量当量率を表示した線量当量率表示エリア６ｂ（ｍＳｖ／ｈ）、個人被ばく線量を表示した個人被ばく線量を表示エリア６ｃ（ｍＳｖ）、計画設定値を表示した計画設定値表示エリア６ｄ（ｍＳｖ／ｈ）、作業従事者１２の個人識別データ（氏名、年齢、性別、所属部署、メールアドレス）を表示した個人識別データ表示エリア６ｅ、作業従事者１２の写真を表示した写真表示エリア６ｆ、作業箇所の見取図（画像）を表示した作業箇所画像表示エリア６ｇが表示される。
【００５２】
管理端末１４は、更新されたあらたな可視化情報（最新の個人被ばく線量データや最新の測定時間）がデータ処理端末２２から送信される度毎に、最新の個人被ばく線量データや経過時間、計画設定値による可視化情報を生成し、その可視化情報をディスプレイ３８に表示する（可視化情報第２表示手段）。管理端末１４は、データ処理端末２２から可視化情報が送信される度毎（可視化情報が生成される度毎）にその可視化情報を逐次ハードディスクに記憶・蓄積し、生成した最新の可視化情報を逐次ハードディスクに記憶・蓄積する（可視化情報第２記憶手段）。さらに、音およびその集音時間を記憶する（音記憶手段）。それら可視化情報や音は、それらを特定する可視化情報特定データおよび個人識別データに関連付けられた状態でハードディスクに格納される。
【００５３】
個人被ばく線量データ可視化システム１０は、管理者が管理端末１４のディスプレイ３８に表示された個人被ばく線量データ、経過時間（時間データ）、計画設定値を確認するとともに、スピーカーから出力された音を確認することで、作業従事者の現在の個人被ばく線量データ、経過時間、線量データと計画設定値との差異、作業従事者の音声の異常、作業箇所での音の異常を把握することができ、管理者が作業従事者１２の作業の続行や作業の中止を的確に判断することができる。システム１０は、個人被ばく線量データおよび経過時間（時間データ）、音および集音時間が管理端末１４のハードディスクに記憶されるから、個人被ばく線量データや経過時間、音、集音時間の喪失を防ぐことができるとともに、個人被ばく線量データや経過時間、音、集音時間を検討することにより、作業従事者１２の被ばく状況や体調を管理することができ、作業区域における次の作業箇所の選定や時期等を含めた作業計画を立案することができる。
【００５４】
図７は、ヘッドマウントディスプレイ１８に表示された作業指示および作業手順を含む可視化情報の他の一例を示す図である。作業従事者１２が作業箇所に到着し、作業を開始した場合において必要があれば、管理者は、作業従事者１２に作業指示を行うことができる。作業指示を行う場合、管理者が管理端末１４に接続されたマイクロフォンから指示を出すと、その作業指示が無線ＬＡＮによって管理端末１４からデータ処理端末２２に送信され、作業指示がデータ処理端末２２からウェアラブルマイクロフォン２０に転送されて作業指示の音声がマイクロフォン２０から出力される（作業指示出力手段）。
【００５５】
管理者は、作業箇所の作業従事者１２に作業手順を伝えることができる。管理者が管理端末１４に接続されたマイクロフォンから作業手順を伝えると、その作業手順が無線ＬＡＮによって管理端末１４からデータ処理端末２２に送信され、作業手順がデータ処理端末２２からウェアラブルマイクロフォン２０に転送されて作業手順の音声がマイクロフォン２０から出力される（作業手順出力手段）。
【００５６】
なお、作業従事者１２は、コントローラ２１のボリューム３０を調節することによってマイクロフォン２０から出力される音声の高低を調節することができる。作業従事者１２は、マイクロフォン２０から出力された作業指示や作業手順の音声を聴取する。作業指示の音声や作業手順の音声は、個人識別データ（日時を含む）に関連付けられた状態で管理端末１４のハードディスクに格納されるとともに、個人識別データ（日時を含む）に関連付けられた状態でデータ処理端末２２のハードディスクに格納される。
【００５７】
また、管理者が管理端末１４に接続されたキーボード３６から作業指示を入力すると、その作業指示が無線ＬＡＮによって管理端末１４からデータ処理端末２２に送信される。データ処理端末２２（システム１０）は、管理端末１４から送信された作業指示をヘッドマウントディスプレイ１８に表示する（作業指示表示手段）。さらに、管理者が管理端末１４に接続されたキーボード３６に作業手順を入力すると、その作業手順が無線ＬＡＮによって管理端末１４からデータ処理端末２２に送信される。データ処理端末２２（システム１０）は、管理端末１４から送信された作業手順をヘッドマウントディスプレイ１８に表示する（作業手順表示手段）。
【００５８】
ヘッドマウントディスプレイ１８には、図７に示すように、経過時間を表示した時間データ表示エリア７ａ（月日、時分秒）、線量当量率を表示した線量当量率表示エリア７ｂ（ｍＳｖ／ｈ）、個人被ばく線量を表示した個人被ばく線量表示エリア７ｃ（ｍＳｖ）、計画設定値を表示した計画設定値表示エリア７ｄ（ｍＳｖ／ｈ）の他に、作業指示を表示した作業指示表示エリア７ｅ、作業手順を表示した作業手順表示エリア７ｆが表示される。作業従事者１２は、ディスプレイ１８に表示された作業指示や作業手順を確認する。作業指示や作業手順は、個人識別データ（日時を含む）に関連付けられた状態で管理端末１４のハードディスクに格納されるとともに、個人識別データ（日時を含む）に関連付けられた状態でデータ処理端末２２のハードディスクに格納される。
【００５９】
個人被ばく線量データ可視化システム１０は、ウェアラブルマイクロフォン２０やヘッドマウントディスプレイ１８によって管理者から作業従事者１２に的確な作業指示や作業手順を伝えることができ、作業指示によって作業ミスや作業箇所以外の危険な区域への進入等を未然に防ぐことができるとともに、作業指示や作業手順によって作業従事者１２が作業を的確かつ迅速に遂行することができる。システム１０は、作業従事者１２が両手を自由にした状態で管理者からの作業指示や作業手順を受けることができ、作業指示や作業手順の伝達時に手が塞がることはなく、作業効率を向上させることができる。
【００６０】
図８は、ヘッドマウントディスプレイ１８に表示された計画設定値、警告メッセージを含む可視化情報の他の一例を示す図であり、図９は、管理端末１４のディスプレイ３８に表示された計画設定値、警告メッセージを含む可視化情報の他の一例を示す図である。作業従事者１２が作業区域内において作業を継続し、時間が経過すると、作業従事者１２の被ばく量が次第に増加する。また、作業従事者１２が作業区域内のホットスポットに近付くと、作業従事者１２の被ばく量が急激に増加する。
【００６１】
データ処理端末２２（システム１０）は、放射線測定装置２３が測定した最新の線量当量率（個人被ばく線量データ）と計画設定値とを比較し、線量当量率が計画設定値を超えた場合、所定の警告メッセージ（第１警告）を加えた（合成した）可視化情報（個人被ばく線量データ、経過時間（時間データ）、計画設定値、第１警告）を生成し（可視化情報生成手段）、警告メッセージを含む可視化情報をヘッドマウントディスプレイ１８にリアルタイムに表示する（可視化情報第１表示手段）。
【００６２】
ヘッドマウントディスプレイ１８には、図８に示すように、経過時間を表示した時刻データ表示エリア８ａ（月日、時分秒）、線量当量率を表示した線量当量率表示エリア８ｂ（ｍＳｖ／ｈ）、個人被ばく線量を表示した個人被ばく線量表示エリア８ｃ（ｍＳｖ）、計画設定値を表示した計画設定値表示エリア８ｄ（ｍＳｖ／ｈ）の他に、警告メッセージ（計画設定値超過）を表示した警告表示エリア８ｅが表示される。なお、警告としてディスプレイ１８全体が注意色（黄色や赤）に着色されてもよく、それら表示エリア８ａ〜８ｄが注意色に着色されてもよい。
【００６３】
データ処理端末２２（システム１０）は、警告メッセージを含む可視化情報（個人被ばく線量データ、経過時間、計画設定値、第１警告）を可視化情報特定データおよび個人識別データに関連付けた状態でハードディスクに記憶し（可視化情報第１記憶手段）、警告メッセージを含む可視化情報（可視化情報特定データおよび個人識別データを含む）を無線ＬＡＮを利用して管理端末１４に送信する（可視化情報送信手段）。
【００６４】
管理端末１４は、個人被ばく線量データに経過時間、計画設定値、警告メッセージを加えた（合成した）可視化情報を生成し、その可視化情報をディスプレイ３８に表示する（可視化情報第２表示手段）。ディスプレイ３８には、図９に示すように、経過時間を表示した時刻データ表示エリア９ａ（月日、時分秒）、線量当量率を表示した線量当量率表示エリア９ｂ（ｍＳｖ／ｈ）、個人被ばく線量を表示した個人被ばく線量を表示エリア９ｃ（ｍＳｖ）、計画設定値を表示した計画設定値表示エリア９ｄ（ｍＳｖ／ｈ）、警告メッセージを表示した警告表示エリア９ｅ、作業従事者１２の個人識別データを表示した個人識別データ表示エリア９ｆ、作業従事者１２の写真を表示した写真表示エリア９ｇが表示される。
【００６５】
管理端末１４は、警告メッセージ（計画設定値超過）を含む可視化情報がデータ処理端末２２から送信されると、その可視化情報を記憶・蓄積し、生成した警告メッセージ（計画設定値超過）を含む可視化情報を記憶・蓄積する（可視化情報第２記憶手段）。警告メッセージ（計画設定値超過）を含む可視化情報は、可視化情報特定データおよび個人識別データに関連付けられた状態でハードディスクに格納される。
【００６６】
警告メッセージを含む可視化情報がディスプレイ３８に表示された場合、管理者は、既述の作業指示と同様に、マイクロフォンから作業中止の指示を出し、または、キーボード３６に作業中止を入力する。作業中止が管理端末１４からデータ処理端末２２に送信されて作業中止（作業指示）の音声がマイクロフォン２０から出力され（作業指示出力手段）、作業中止（作業指示）がヘッドマウントディスプレイ１８に表示される（作業指示表示手段）。なお、管理端末１４に接続されたスピーカーからは、マイクロフォン２０によって集音された音が出力されている（音出力手段）。
【００６７】
個人被ばく線量データ可視化システム１０は、作業従事者１２の線量当量率（個人被ばく線量データ）が計画設定値を超えたことを知らせる所定の警告メッセージ（第１警告）をヘッドマウントディスプレイ１８や管理端末１４のディスプレイ３８に表示することで、作業従事者１２の現在の線量当量率が計画設定値を超えたことを作業従事者１２や管理者が知ることができ、作業従事者１２がその時点で作業を中止することができるとともに、管理者がその時点で作業従事者１２の作業を中止させることができる。システム１０は、作業従事者１２の放射線に対する被ばく限界を超えて作業が続行されることはなく、作業従事者１２の安全を図ることができる。
【００６８】
図１０は、ヘッドマウントディスプレイ１８に表示された計画設定値、映像を含む可視化情報の他の一例を示す図であり、図１１は、管理端末１４のディスプレイ３８に表示された計画設定値、映像を含む可視化情報の他の一例を示す図である。作業区域に到着した作業従事者１２がウェアラブル目線カメラ１９のＯＮ／ＯＦＦボタン２７をＯＮにすると、目線カメラ１９が起動する。目線カメラ１９は、作業従事者１２の視野に入った映像を撮影し、撮影した映像をデータ処理端末２２に転送する。
【００６９】
データ処理端末２２（システム１０）は、目線カメラ１９によって撮影された映像（動画）を加えた（合成した）可視化情報（個人被ばく線量データ、経過時間（時間データ）、計画設定値、映像）を生成し（可視化情報生成手段）、生成した可視化情報をヘッドマウントディスプレイ１８にリアルタイムに表示する（可視化情報第１表示手段）。ヘッドマウントディスプレイ１８には、図１０に示すように、経過時間を表示した時間データ表示エリア１０ａ（月日、時分秒）、線量当量率を表示した線量当量率表示エリア１０ｂ（ｍＳｖ／ｈ）、個人被ばく線量を表示した個人被ばく線量表示エリア１０ｃ（ｍＳｖ）、計画設定値を表示した計画設定値表示エリア１０ｄ（ｍＳｖ／ｈ）の他に、目線カメラ１９によって撮影されている作業箇所の映像が動画で表示される。
【００７０】
なお、既述のように、放射線測定装置２３によって個人被ばく線量データが測定される度毎（３秒毎）に、可視化情報（個人被ばく線量データ、経過時間（時間データ））があらたに生成され（可視化情報生成手段）、それら表示エリア１０ａ〜１０ｃに表示された線量当量率や個人被ばく線量が更新される。表示エリア１０ａ〜１０ｃには、更新されたあらたな線量当量率、あらたな個人被ばく線量が表示される。また、線量当量率が計画設定値を超えた場合、警告メッセージを加えた可視化情報が生成され（可視化情報生成手段）、警告メッセージを含む可視化情報がヘッドマウントディスプレイ１８に表示される（可視化情報第１表示手段）。
【００７１】
データ処理端末２２（システム１０）は、目線カメラ１９によって撮影された映像（動画）およびその撮影時間を可視化情報（個人被ばく線量データ、経過時間（時間データ）、計画設定値）とともに記憶・蓄積する（映像記憶手段）。映像およびその撮影時間は、可視化情報特定データおよび個人識別データに関連付けられた状態でハードディスクに格納される。データ処理端末２２（システム１０）は、映像（動画）およびその撮影時間を無線ＬＡＮ（無線ＬＡＮルータ１３を経由）を利用して管理端末１４に送信する（映像送信手段）。
【００７２】
作業従事者１２がウェアラブル目線カメラ１９のキャプチャーボタン２８を押すと、目線カメラ１９のキャプチャー機能がＯＮになり、目線カメラ１９によって静止画が撮影され、その静止画がデータ処理端末２２に転送される。データ処理端末２２（システム１０）は、目線カメラ１９によって撮影された静止画を加えた（合成した）可視化情報（個人被ばく線量データ、経過時間（時間データ）、計画設定値、静止画）を生成し（可視化情報生成手段）、生成した可視化情報をヘッドマウントディスプレイ１８に表示する（可視化情報第１表示手段）。
【００７３】
データ処理端末２２（システム１０）は、目線カメラ１９によって撮影された映像（静止画）およびその撮影時間を可視化情報（個人被ばく線量データ、経過時間（時間データ）、計画設定値）とともに記憶・蓄積する（映像記憶手段）。静止画およびその撮影時間は、可視化情報特定データおよび個人識別データに関連付けられた状態でハードディスクに格納される。データ処理端末２２（システム１０）は、映像（静止画）およびその撮影時間を無線ＬＡＮを利用して管理端末１４に送信する（映像送信手段）。
【００７４】
個人被ばく線量データ可視化システム１０は、作業従事者１２の現在位置や作業箇所における映像（動画または静止画）を可視化情報（個人被ばく線量データ、経過時間（時間データ）、計画設定値）とともにヘッドマウントディスプレイ１８に可視化することができ、作業従事者１２が両手を自由に使える状態で現在位置や作業箇所における映像や個人被ばく線量データ、時間データ、計画設定値をディスプレイ１８を介して視認することができる。システム１８は、可視化情報に現在位置や作業箇所の映像が含まれるから、作業従事者１２が対峙する位置における個人被ばく線量データの変化を知ることができ、作業従事者１２がその位置における作業の続行や作業の中止を的確に判断することができる。
【００７５】
管理端末１４は、個人被ばく線量データに経過時間（時間データ）、計画設定値、映像（動画または静止画）を加えた（合成した）可視化情報を生成し、その可視化情報をディスプレイ３８に表示する（可視化情報第２表示手段）。ディスプレイ３８には、図１１に示すように、経過時間を表示した時間データ表示エリア１１ａ（月日、時分秒）、線量当量率を表示した線量当量率表示エリア１１ｂ（ｍＳｖ／ｈ）、個人被ばく線量を表示した個人被ばく線量表示エリア１１ｃ（ｍＳｖ）、計画設定値を表示した計画設定値表示エリア１１ｄ（ｍＳｖ／ｈ）、個人識別データ表示エリア１１ｅ、写真表示エリア１１ｆの他に、目線カメラ１９によって撮影された作業箇所の映像（動画または静止画）が表示される。
【００７６】
管理端末１４は、データ処理端末２２から送信された映像およびその撮影時間を可視化情報（個人被ばく線量データ、経過時間（時間データ）、計画設定値）とともに記憶・蓄積し、生成した映像およびその撮影時間を含む可視化情報を記憶・蓄積する（可視化情報第２記憶手段）。映像および撮影時間、それらを含む可視化情報は、可視化情報特定データおよび個人識別データに関連付けられた状態でハードディスクに格納される。
【００７７】
既述のように、放射線測定装置２３によって個人被ばく線量データが測定される度毎（３秒毎）に、あらたに生成された可視化情報（個人被ばく線量データ、経過時間（時間データ））がデータ処理端末２２から管理端末１４に送信され、それら表示エリア１１ａ〜１１ｃに表示された線量当量率や個人被ばく線量が更新される。表示エリア１１ａ〜１１ｃには、更新されたあらたな線量当量率、あらたな個人被ばく線量が表示される。
【００７８】
映像を確認した管理者からウェアラブルマイクロフォン２０を利用して作業指示や作業手順を伝えられる場合があり（作業指示出力手段、作業手順出力手段）、ヘッドマウントディスプレイ１８に管理者からの作業指示や作業手順が表示される場合がある（作業指示表示手段、作業手順表示手段）。管理端末１４に接続されたスピーカーからは、マイクロフォン２０によって集音された音が出力されている（音出力手段）。
【００７９】
個人被ばく線量データ可視化システム１０は、管理者が管理端末に表示された映像（動画または静止画）、個人被ばく線量データ、経過時間（時間データ）、計画設定値を確認することで、作業従事者１２の現在位置や作業箇所における映像、個人被ばく線量データ、時間データ、計画設定値を把握することができ、管理者が作業従事者１２の作業の続行や作業の中止を的確に判断することができる。システム１０は、映像およびその撮影時間が管理端末１４に記憶されるから、映像およびその撮影時間の喪失を防ぐことができるとともに、映像やその撮影時間とともに個人被ばく線量データおよび時間データを検討することにより、作業従事者１２の被ばく状況や体調を管理することができ、原子力発電所の作業区域における次の作業箇所の選定や作業時期等を含めた作業計画を立案することができる。
【００８０】
図１２は、ヘッドマウントディスプレイ１８に表示された計画設定値、位置表示マップ１２ｅを含む可視化情報の他の一例を示す図であり、図１３は、ヘッドマウントディスプレイ１８に表示された計画設定値、移動経路マップ１３ｅを含む可視化情報の他の一例を示す図である。データ処理端末２２（システム１０）は、ＧＰＳ機能を利用して作業従事者１２の位置データを取得し（位置データ取得手段）、位置データおよびその取得時間を無線ＬＡＮを利用して管理端末１４に送信する（位置データ送信手段）。位置データは、個人識別データ（日時を含む）に関付けられた状態でハードディスクに格納される。
【００８１】
データ処理端末２２（システム１０）は、マップデータに作業従事者１２の位置データを表示した位置表示マップ１２ｅを生成するとともに、位置表示マップ１２ｅを加えた（合成した）可視化情報（個人被ばく線量データ、経過時間（時間データ）、計画設定値、位置表示マップ）を生成する（可視化情報生成手段）。さらに、位置データ取得手段によって取得した作業従事者１２の位置データから作業区域における作業従事者１２の移動経路３９を取得しつつ、マップデータに移動経路３９を表示した移動経路マップ１３ｅを生成するとともに、移動経路マップ１３ｅを加えた（合成した）可視化情報（個人被ばく線量データ、経過時間（時間データ）、計画設定値、移動経路マップ）を生成する（可視化情報生成手段）。データ処理端末２２（システム１０）は、移動経路マップ１３ｅを加えた可視化情報を個人識別データ（日時を含む）に関付けた状態でハードディスクに格納する。
【００８２】
作業従事者１２がコントローラ２１のマップＯＮ／ＯＦＦボタン３１をＯＮにすると、データ処理端末２２（システム１０）は、位置表示マップ１２ｅを含む可視化情報をヘッドマウントディスプレイ１８に表示する（可視化情報第１表示手段）。映像は、非表示になる。ディスプレイ１８には、図１２に示すように、経過時間を表示した時間データ表示エリア１２ａ（月日、時分秒）、線量当量率を表示した線量当量率表示エリア１２ｂ（ｍＳｖ／ｈ）、個人被ばく線量を表示した個人被ばく線量表示エリア１２ｃ（ｍＳｖ）、計画設定値を表示した計画設定値表示エリア１２ｄ（ｍＳｖ／ｈ）の他に、原子力発電所のマップデータに作業従事者１２の位置データを表示した位置表示マップ１２ｅが表示される。
【００８３】
個人被ばく線量データ可視化システム１０は、作業従事者１２の位置データをマップデータ上に表示した位置表示マップ１２ｅを作業従事者１２がヘッドマウントディスプレイ１８を介して視認することができ、作業従事者１２が原子力発電所の作業区域内における自分の現在位置を的確に把握することができる。システム１０は、作業従事者１２が位置表示マップ１２ｅを視認することで、作業箇所までの移動ルートを確認することができ、作業箇所以外の危険な箇所（ホットスポット）への進入等を未然に防ぐことができる。
【００８４】
作業従事者１２がコントローラ２１のマップ切替ボタン２３を押すと、データ処理端末２２（システム１０）は、移動経路マップ１３ｅを含む可視化情報をヘッドマウントディスプレイ１８に表示する（可視化情報第１表示手段）。ディスプレイ１８では、位置表示マップ１２ｅから移動経路マップ１３ｅに切り替わる。ディスプレイ１８には、図１３に示すように、経過時間を表示した時間データ表示エリア１３ａ（月日、時分秒）、線量当量率を表示した線量当量率表示エリア１３ｂ（ｍＳｖ／ｈ）、個人被ばく線量を表示した個人被ばく線量表示エリア１３ｃ（ｍＳｖ）、計画設定値を表示した計画設定値表示エリア１３ｄ（ｍＳｖ／ｈ）の他に、原子力発電所のマップデータに移動経路３９を表示した移動経路マップ１３ｅが表示される。
【００８５】
個人被ばく線量データ可視化システム１０は、作業従事者１２の移動経路３９をマップデータ上に表示した移動経路マップ１３ｅを作業従事者１２がヘッドマウントディスプレイ１８を介して視認することができ、作業従事者１２が原子力発電所の作業区域内における自分の移動経路３９を的確に把握することができる。システム１０は、作業従事者１２が移動経路マップ１３ｅを視認することで、作業箇所までの移動経路３９を確認することができ、作業箇所までの効率的な移動ルートや安全な移動ルートを確保することができる。
【００８６】
図１４は、管理端末１４のディスプレイ３８に表示された計画設定値、位置表示マップを含む可視化情報の他の一例を示す図であり、図１５は、管理端末１４のディスプレイ３８に表示された計画設定値、移動経路マップを含む可視化情報の他の一例を示す図である。管理端末１４は、データ処理端末２２から位置データおよびその取得時間が送信されると、位置データおよびその取得時間を個人識別データ（日時を含む）に関付けた状態でハードディスクに格納する。
【００８７】
管理端末１４は、データ処理端末２２から送信された位置データを利用し、マップデータに作業従事者１２の位置データを表示した位置表示マップ１４ｆを生成する（位置表示マップ生成手段）。さらに、作業従事者１２の位置データから作業区域における作業従事者１２の移動経路３９を取得するとともに、マップデータに移動経路３９を表示した移動経路マップ１５ｆを生成する（移動経路マップ生成手段）。管理端末１４は、移動経路マップ１５ｆを個人識別データ（日時を含む）に関付けた状態でハードディスクに格納する。
【００８８】
管理端末１４は、位置表示マップ１４ｆを加えた（合成した）可視化情報（個人被ばく線量データ、経過時間（時間データ）、計画設定値、位置表示マップ）を生成し、その可視化情報をディスプレイ３８に表示する（可視化情報第２表示手段）。ディスプレイ３８には、図１４に示すように、経過時間を表示した時間データ表示エリア１４ａ（月日、時分秒）、線量当量率を表示した線量当量率表示エリア１４ｂ（ｍＳｖ／ｈ）、個人被ばく線量を表示した個人被ばく線量表示エリア１４ｃ（ｍＳｖ）、計画設定値を表示した計画設定値表示エリア１４ｄ（ｍＳｖ／ｈ）他に、原子力発電所のマップデータに作業従事者１２の位置データを表示した位置表示マップ１４ｅが表示される。
【００８９】
個人被ばく線量データ可視化システム１０は、管理者が管理端末１４に表示された位置表示マップ１４ｆ、個人被ばく線量データ、経過時間（時間データ）を確認することで、作業従事者１２の現在位置、個人被ばく線量データ、経過時間を把握することができ、作業従事者１２の位置を監視つつ、作業従事者１２の作業箇所以外の箇所への立ち入りを監視することができる。システム１０は、位置表示マップ１４ｆとともに個人被ばく線量データや時間データを検討することにより、管理者が位置表示マップ１４ｆに表示された作業従事者１２の各位置における被ばく状況を把握することができ、作業従事者１２の作業箇所への効率的な移動ルートや安全な移動ルートを割り出すことができる。
【００９０】
管理端末１４は、移動経路マップ１５ｆを加えた（合成した）可視化情報（個人被ばく線量データ、経過時間（時間データ）、計画設定値、移動経路マップ）を生成し、その可視化情報をディスプレイ３８に表示する（可視化情報第２表示手段）。ディスプレイ３８では、位置表示マップ１４ｆから移動経路マップ１５ｆに切り替わる。ディスプレイ３８には、図１５に示すように、経過時間を表示した時間データ表示エリア１５ａ（月日、時分秒）、線量当量率を表示した線量当量率表示エリア１５ｂ（ｍＳｖ／ｈ）、個人被ばく線量を表示した個人被ばく線量表示エリア１５ｃ（ｍＳｖ）、計画設定値を表示した計画設定値表示エリア１５ｄ（ｍＳｖ／ｈ）他に、原子力発電所のマップデータに移動経路３９を表示した移動経路マップ１５ｆが表示される。管理端末１４は、生成した移動経路マップ１５ｆを含む可視化情報を可視化情報特定データおよび個人識別データに関連付けた状態でハードディスクに記憶・蓄積する（可視化情報第２記憶手段）。
【００９１】
位置表示マップ１４ｆや移動経路マップ１５ｆを確認した管理者からウェアラブルマイクロフォン２０を利用して作業指示や作業手順が伝えられ（作業指示出力手段、作業手順出力手段）、ヘッドマウントディスプレイ１８に管理者からの作業指示や作業手順が表示される（作業指示表示手段、作業手順表示手段）。管理端末１４に接続されたスピーカーからは、マイクロフォン２０によって集音された音が出力されている（音出力手段）。
【００９２】
個人被ばく線量データシステム１０は、管理者が管理端末１４に表示された移動経路マップ１５ｆ、個人被ばく線量データ、経過時間（時間データ）を確認することで、作業従事者１２の作業区域における移動経路３９、個人被ばく線量データ、経過時間を把握することができ、作業従事者１２の移動経路３９を監視しつつ、作業従事者１２の作業箇所以外の箇所への立ち入りを監視することができる。システム１０は、移動経路マップ１５ｆとともに個人被ばく線量データや時間データを検討することにより、管理者が移動経路マップ１５ｆに表示された作業従事者１２の移動経路３９における被ばく状況を把握することができ、作業従事者１２の作業箇所までの効率的な移動ルートや安全な移動ルートを割り出すことができる。
【００９３】
図１６は、他の一例として示す装着機器１１を装着した作業従事者１２の斜視図であり、図１７は、装着機器１１の他の一例を示す図である。図１６では、作業従事者１２の胸部に位置する放射線防護服１５を破断して示し、作業従事者１２が着用するベストの図示を省略している。図１６，１７の装着機器１１が図１，２のそれと異なるところは、生体センサ４０（生体データ測定装置）を含む点にあり、装着機器１１を形成するその他の機器は図１，２のそれらと同一であるから、図１，２と同様の符号を付すとともに、図１，２の説明を援用することで、装着機器１１のその他の機器の詳細な説明は省略する。
【００９４】
装着機器１１は、ヘッドマウントディスプレイ１８およびウェアラブル目線カメラ１９と、ウェアラブルマイクロフォン２０およびコントローラ２１と、データ処理端末２２および放射線測定装置２３と、作業従事者１２が着脱可能に装着する生体データセンサ４０とから形成されている。ディスプレイ１８、目線カメラ１９、マイクロフォン２０、コントローラ２１、データ処理端末２２、放射線測定装置２３は、図１，２のそれらと同一である。
【００９５】
生体データセンサ４０は、作業従事者１２の胸部に着脱可能に装着される。生体センサ４０は、胸部に巻き付けられるバンド部４１ａと、センサ部４１ｂとから形成されている。センサ部４１ｂでは、作業従事者１２の体温と心拍数とが所定の時間間隔で測定される。センサ部４１ｂは、無線機能を有し、測定した作業従事者１２の体温および心拍数、測定時間（月日、時分秒）を無線電波としてデータ処理端末２２に送信する。
【００９６】
図１８は、ヘッドマウントディスプレイ１８に表示された映像、計画設定値、生体データを含む可視化情報の他の一例を示す図であり、図１９は、管理端末１４のディスプレイ３８に表示された映像、計画設定値、生体データを含む可視化情報の他の一例を示す図である。なお、放射線測定装置２３における測定時間間隔が３秒に設定され、生体データセンサ４０における測定時間間隔が３秒に設定されたものとし、時間データとして作業区域内への進入時から作業区域内における現在までの経過時間（月日、時分秒）が選択されたものとする。データ処理端末２２のハードディスクには、作業従事者１２の個人被ばく線量データ（線量当量率）の限界を示す計画設定値が格納され、作業従事者１２の体温設定値および心拍数設定値が格納されている。
【００９７】
作業従事者１２が作業区域外から作業区域内に進入すると、データ処理端末２２は、作業従事者１２の作業区域内への進入時から作業区域内における現在までの経過時間を計測する（経過時間カウント手段）。経過時間計測は、既述のように、図２の装着機器１１を装着した作業従事者１２のデータ処理端末２２が行うそれらと同一である。また、経過時間を放射線測定装置２３が計測する場合もデータ処理端末２２のそれらと同様である。
【００９８】
作業従事者１２がウェアラブル目線カメラ１９のＯＮ／ＯＦＦボタン２７をＯＮにすると、目線カメラ１９は、作業従事者１２の視野に入った映像を撮影し、撮影した映像をデータ処理端末２２に転送する。データ処理端末２２（システム１０）は、目線カメラ１９によって撮影された映像（動画）、計画設定値、生体センサ４０（生体データ測定装置）から送信された体温および心拍数、体温設定値および心拍数設定値を加えた（合成した）可視化情報（個人被ばく線量データ、経過時間（時間データ）、計画設定値、映像、体温および心拍数、体温設定値および心拍数設定値）を生成し（可視化情報生成手段）、生成した可視化情報をヘッドマウントディスプレイ１８にリアルタイムに表示する（可視化情報第１表示手段）。
【００９９】
ヘッドマウントディスプレイ１８には、図１８に示すように、作業区域内への進入時から作業区域内における現在までの経過時間を表示した時間データ表示エリア１８ａ（月日、時分秒）、放射線測定装置２３によって測定された線量当量率を表示した線量当量率表示エリア１８ｂ（ｍＳｖ／ｈ）、放射線測定装置２３によって測定された個人被ばく線量を表示した個人被ばく線量表示エリア１８ｃ（ｍＳｖ）、計画設定値を表示した計画設定値表示エリア１８ｄ（ｍＳｖ／ｈ）、目線カメラ１９によって撮影されている作業箇所の映像、生体センサ４０によって測定された体温および心拍数を表示した生体データ表示エリア１８ｅ、体温設定値および心拍数設定値を表示した設定値表示エリア１８ｆが表示される。
【０１００】
なお、放射線測定装置２３によって個人被ばく線量データが測定される度毎（３秒毎）に、または、生体センサ４０によって体温および心拍数が測定される度毎（３秒毎）に可視化情報（個人被ばく線量データ、体温および心拍数）があらたに生成され（可視化情報生成手段）、それら表示エリア１８ａ〜１８ｃに表示された線量当量率および個人被ばく線量が更新されるとともに、生体データ表示エリア１８ｅに表示された体温および心拍数が更新される。
【０１０１】
表示エリア１８ａ〜１８ｃには、更新されたあらたな線量当量率、あらたな個人被ばく線量が表示され、生体データ表示エリア１８ｅには、更新されたあらたな体温および心拍数が表示される。また、図１２，１３に示すように、位置表示マップ１２ｅを含む可視化情報がヘッドマウントディスプレイ１８に表示される場合があり（可視化情報第１表示手段）、移動経路マップ１３ｅを含む可視化情報がディスプレイ１８に表示される場合がある（可視化情報第１表示手段）。
【０１０２】
データ処理端末２２（システム１０）は、映像（動画）およびその撮影時間、体温および心拍数、体温および心拍数の測定時間を可視化情報（個人被ばく線量データ、経過時間（時間データ）、計画設定値、体温および心拍数、測定時間）とともに記憶・蓄積する（生体データ記憶手段）。映像およびその撮影時間、体温および心拍数、測定時間は、可視化情報特定データおよび個人識別データに関連付けられた状態でハードディスクに格納される。データ処理端末２２（システム１０）は、映像（動画）およびその撮影時間、体温および心拍数、体温および心拍数の測定時間を無線ＬＡＮを利用して管理端末１４に送信する（生体データ送信手段）。
【０１０３】
個人被ばく線量データ可視化システム１０は、体温や心拍数をヘッドマウントディスプレイ１８に可視化することができ、作業従事者１２が両手を自由に使える状態で現在の自分の生体データをディスプレイ１８を介して視認することができる。システム１０は、可視化情報に生体データや個人被ばく線量データ、経過時間（時間データ）が含まれるから、作業時間の経過による生体データ（体温および心拍数）や個人被ばく線量データの時間的な変化を知ることができ、生体データや個人被ばく線量データ、時間データを視認することで、作業従事者１２が作業の続行や作業の中止を的確に判断することができる。システム１０は、ディスプレイ１８を介して自分の生体データや個人被ばく線量データを確認することができるから、両手で作業を続けることができ、作業効率の向上を図ることができる。
【０１０４】
管理端末１４は、個人被ばく線量データに経過時間（時間データ）、計画設定値、映像（動画または静止画）、体温および心拍数（生体データ）、体温設定値および心拍数設定値を加えた（合成した）可視化情報を生成し、その可視化情報をディスプレイ３８に表示する（可視化情報第２表示手段）。管理端末１４は、データ処理端末２２から送信された映像およびその撮影時間、体温および心拍数、測定時間を可視化情報（個人被ばく線量データ、経過時間（時間データ）、計画設定値、体温設定値および心拍数設定値）とともに記憶・蓄積し、生成した映像およびその撮影時間、体温および心拍数、測定時間を含む可視化情報を記憶・蓄積する（可視化情報第２記憶手段）。映像および撮影時間、体温および心拍数、測定時間やそれらを含む可視化情報は、可視化情報特定データおよび個人識別データに関連付けられた状態でハードディスクに格納される。
【０１０５】
ディスプレイ３８には、図１９に示すように、経過時間を表示した時間データ表示エリア１９ａ（月日、時分秒）、線量当量率を表示した線量当量率表示エリア１９ｂ（ｍＳｖ／ｈ）、個人被ばく線量を表示した個人被ばく線量表示エリア１９ｃ（ｍＳｖ）、計画設定値を表示した計画設定値表示エリア１９ｄ（ｍＳｖ／ｈ）、個人識別データ表示エリア１９ｅ、写真表示エリア１９ｆの他に、目線カメラ１９によって撮影された作業箇所の映像（動画または静止画）、生体センサ４０によって測定された体温および心拍数を表示した生体データ表示エリア１９ｇ、体温設定値および心拍数設定値を表示した設定値表示エリア１９ｈが表示される。
【０１０６】
なお、放射線測定装置２３によって個人被ばく線量データが測定される度毎（３秒毎）や生体センサ４０によって体温および心拍数が測定される度毎（３秒毎）にあらたに生成された可視化情報が表示される。
【０１０７】
映像や個人被ばく線量データ、体温および心拍数を確認した管理者からウェアラブルマイクロフォン２０を利用して作業指示や作業手順を伝えられ（作業指示出力手段、作業手順出力手段）、ヘッドマウントディスプレイ１８に管理者からの作業指示や作業手順が表示される（作業指示表示手段、作業手順表示手段）。管理端末１４に接続されたスピーカーからは、マイクロフォン２０によって集音された音が出力されている（音出力手段）。
【０１０８】
個人被ばく線量データ可視化システム１０は、管理者が管理端末１４に表示された心拍数や体温、その測定時間、個人被ばく線量データ、経過時間（時間データ）を確認することで、作業従事者１２の現在の生体データ、個人被ばく線量データ、経過時間を把握することができ、管理者が作業従事者１２の作業の続行や作業の中止を的確に判断することができる。システム１０は、生体データやその測定時間とともに個人被ばく線量データおよび時間データを検討することにより、作業従事者１２の被ばく状況や体調を管理することができ、作業区域における次の作業箇所の選定や作業時期等を含めた作業計画を立案することができる。
【０１０９】
図２０は、ヘッドマウントディスプレイ１８に表示された映像、計画設定値、生体データ、警告メッセージを含む可視化情報の他の一例を示す図であり、図２１は、管理端末１４のディスプレイ３８に表示された映像、計画設定値、生体データ、警告メッセージを含む可視化情報の他の一例を示す図である。図２０，２１では、線量当量率が計画設定値を超え、体温および心拍数のうちの少なくとも一方が設定値を超えたものとする。
【０１１０】
データ処理端末２２（システム１０）は、放射線測定装置が測定した最新の線量当量率（個人被ばく線量データ）と計画設定値とを比較し、生体センサ４０が測定した最新の体温と体温設定値とを比較するとともに、最新の心拍数と心拍数設定値とを比較する。線量当量率が計画設定値を超えた場合、体温が体温設定値を超え、または、心拍数が心拍数設定値を超えた場合、所定の警告メッセージ（第１警告および第２警告）を加えた（合成した）可視化情報（個人被ばく線量データ、経過時間（時間データ）、計画設定値、第１警告、体温および心拍数、設定値、第２警告）を生成し（可視化情報生成手段）、警告メッセージを含む可視化情報をヘッドマウントディスプレイ１８にリアルタイムに表示する（可視化情報第１表示手段）。
【０１１１】
なお、データ処理端末２２（システム１０）は、線量当量率が計画設定値を超えた場合、体温または心拍数が設定値を超えた場合のいずれか１つに該当すると、警告メッセージを加えた可視化情報を生成し（可視化情報生成手段）、警告メッセージを含む可視化情報をヘッドマウントディスプレイ１８に表示する（可視化情報第１表示手段）。
【０１１２】
ヘッドマウントディスプレイ１８には、図２０に示すように、経過時間を表示した時間データ表示エリア２０ａ（月日、時分秒）等に加え、警告メッセージ（第１警告）を表示した警告表示エリア２０ｅ、警告メッセージ（第２警告）を表示した警告表示エリア２０ｈも表示される。なお、警告としてディスプレイ１８全体や各表示エリア２０ａ〜２０ｄ，２０ｆ，２０ｇが注意色（黄色や赤）に着色されてもよい。
【０１１３】
データ処理端末２２（システム１０）は、警告メッセージを含む可視化情報（個人被ばく線量データ、経過時間、計画設定値、第１警告、体温および心拍数、設定値、第２警告）を可視化情報特定データおよび個人識別データに関連付けた状態でハードディスクに記憶し（可視化情報第１記憶手段）、警告メッセージを含む可視化情報（可視化情報特定データおよび個人識別データを含む）を無線ＬＡＮを利用して管理端末１４に送信する（可視化情報送信手段）。
【０１１４】
管理端末１４は、個人被ばく線量データに経過時間、計画設定値、警告メッセージ、体温および心拍数、設定値、警告メッセージを加えた（合成した）可視化情報をディスプレイ３８に表示する（可視化情報第２表示手段）。ディスプレイ３８には、図２１に示すように、経過時間を表示した時間データ表示エリア２１ａ（月日、時分秒）等に加え、警告メッセージ（第１警告）を表示した警告表示エリア２１ｅ、警告メッセージ（第２警告）を表示した警告表示エリア２１ｈも表示される。
【０１１５】
管理端末１４は、警告メッセージ（計画設定値超過および設定値超過）を含む可視化情報がデータ処理端末２２から送信されると、その可視化情報を記憶・蓄積し、生成した警告メッセージ（計画設定値超過および設定値超過）を含む可視化情報を記憶・蓄積する（可視化情報第２記憶手段）。警告メッセージ（計画設定値超過および設定値超過）を含む可視化情報は、可視化情報特定データおよび個人識別データに関連付けられた状態でハードディスクに格納される。
【０１１６】
それら警告メッセージを含む可視化情報がディスプレイ３８に表示された場合、管理者は、マイクロフォンから作業中止の指示を出し、または、キーボード３６に作業中止を入力する。作業中止が管理端末１４からデータ処理端末２２に送信されて作業中止（作業指示）の音声がマイクロフォン２０から出力され（作業指示出力手段）、作業中止（作業指示）がヘッドマウントディスプレイ１８に表示される（作業指示表示手段）。管理端末１４に接続されたスピーカーからは、マイクロフォン２０によって集音された音が出力されている（音出力手段）。
【０１１７】
なお、上記実施例では放射線管理区域が作業区域内と一致している場合について説明したが、放射線管理区域の中にさらに厳密な線量管理が必要となる作業区域内が設定されていてもよい。この場合、データ処理端末２２や管理端末１４は、線量管理が必要となる作業区域内に作業従事者１２が進入してからの経過時間を時間データとして計測することとしてもよい。なお、線量管理が必要となる作業区域内に侵入したか否かを検出するために、データ処理端末２２のＧＰＳ機能によって取得した位置データを参照しつつ、予め定めた線量管理が必要となる作業区域の境界線を作業従事者１２が超えた場合、進入を検出し、データ処理端末２２が経過時間のカウントを開始することとしてもよい。経過時間を放射線測定装置２３が計測する場合もデータ処理端末２２のそれらと同様である。
【０１１８】
個人被ばく線量データ可視化システム１０は、個人被ばく線量が計画設定値を超えたことを知らせる所定の警告メッセージ（第１警告）や体温が体温設定値を超えまたは心拍数が心拍数設定値を超えたことを知らせる所定の警告メッセージ（第２警告）をヘッドマウントディスプレイ１８や管理端末１４のディスプレイ３８に表示することで、現在の個人被ばく線量データが計画設定値を超えたことを作業従事者１２や管理者が知ることができるとともに、体温が体温設定値を超えまたは心拍数が心拍数設定値を超えたことを知ることができ、作業従事者１２がその時点で作業を中止することができるとともに、管理者がその時点で作業従事者１２の作業を中止させることができる。システム１０は、作業従事者１２の放射線に対する被ばく限界や生体データの限界を超えて作業が続行されることはなく、作業従事者１２の安全を図ることができる。
【符号の説明】
【０１１９】
１０    個人被ばく線量データ可視化システム
１１    装着機器
１２    放射線作業従事者
１３    無線ＬＡＮルーター
１４    管理端末
１５    放射線防護服
１６    全面マスク（放射線防護マスク）
１８    ヘッドマウントディスプレイ
１９    ウェアラブル目線カメラ
２０    ウェアラブルマイクロフォン
２１    コントローラ
２２    データ処理端末
２３    放射線測定装置（線量計）
２４    取り付け治具
３９    移動経路
４０    生体センサ（生体データ測定装置）
【図１】
2015166708.tif 000003
【図２】
2015166708.tif 000004
【図３】
2015166708.tif 000005
【図４】
2015166708.tif 000006
【図５】
2015166708.tif 000007
【図６】
2015166708.tif 000008
【図７】
2015166708.tif 000009
【図８】
2015166708.tif 000010
【図９】
2015166708.tif 000011
【図１０】
2015166708.tif 000012
【図１１】
2015166708.tif 000013
【図１２】
2015166708.tif 000014
【図１３】
2015166708.tif 000015
【図１４】
2015166708.tif 000016
【図１５】
2015166708.tif 000017
【図１６】
2015166708.tif 000018
【図１７】
2015166708.tif 000019
【図１８】
2015166708.tif 000020
【図１９】
2015166708.tif 000021
【図２０】
2015166708.tif 000022
【図２１】
2015166708.tif 000023